【事件の表示】
　特願２０００−２８６７６４「パーソナルメニューを用いた宅配システム」拒絶査定不服審判事件〔平成１４年　４月　５日出願公開、特開２００２−　９９８２７〕について、次のとおり審決する。
【結　論】
　本件審判の請求は、成り立たない。
【理　由】
１．手続きの経緯
　本願は、平成１２年９月２１日の出願であって、原審において、平成１７年４月１８日付で拒絶理由の通知がされ、同年６月２４日付で手続補正がなされ、同年８月２日付で最後の拒絶理由の通知がされ、同年８月３１日付で手続補正がなされ、その後、平成１７年１０月２７日付で平成１７年８月３１日付の手続補正が却下されるとともに、同日付で拒絶査定がなされ、これに対し、平成１７年１２月５日に拒絶査定に対する審判請求がなされるとともに、同年１２月２７日付で手続補正がなされたものである。
　
２．平成１７年１２月２７日付の手続補正（以下「本件補正」という。）についての補正却下の決定
［補正却下の決定の結論］
　平成１７年１２月２７日付の手続補正を却下する。
［理由］
（１）補正の内容
　本件補正により、特許請求の範囲の請求項１、２は、
「【請求項１】　通信回線にそれぞれ接続された、取扱商品の売価を含む最新情報を格納した商品マスタ、顧客宅配会員の住所、氏名、電話番号、その他家族構成を含む個人情報およびそれぞれの顧客宅配会員の過去の宅配注文商品データを格納した会員台帳、顧客宅配会員からの宅配注文品を受け付け入力する注文受信用パソコンおよび各顧客宅配会員向パーソナルメニューを生成する宅配端末から構成されるパーソナルメニューを用いた宅配システムであって、上記注文受信用パソコンを介して顧客宅配会員の宅配注文品が入力されると上記宅配端末は上記会員台帳に格納されている当該顧客宅配会員の過去の宅配データに基づいて生成した買い物リストに、上記商品マスタに登録されている「春夏秋冬」季節の提案商品、「高品質・お買得」の提案商品および「大変便利」の提案商品および上記会員台帳に登録されている項目に基づいて特に当該顧客宅配会員に推奨すべき提案商品を選択し、加えて上記宅配注文品と共に届けられる当該顧客宅配会員に固有なパーソナルメニューを生成、出力することを特徴とするパーソナルメニューを用いた宅配システム。
　【請求項２】　上記通信回線にはさらに上記商品マスタから選択された新規宅配会員への送付のための主要商品リストを格納したメモリが接続されていることを特徴とする請求項１に記載のパーソナルメニューを用いた宅配システム。」と補正された。
　
（２）補正の適否の判断
（２−１）本件補正の前の特許請求の範囲の請求項１、２は、平成１７年８月３１日付の手続補正が平成１７年１０月２７日付で却下されていることから、平成１７年６月２４日付の手続補正書に記載された、次のとおりのものである。
「【請求項１】　通信回線にそれぞれ接続された、全取扱商品の売価を含む最新情報を格納した商品マスタ、全宅配会員の住所、氏名、電話番号、その他家族構成を含む個人情報およびそれぞれの宅配会員の過去の宅配注文商品データを格納した宅配会員データベース、上記商品マスタに基づいて生成されて適宜更新される宅配会員向店舗推奨商品情報を格納するメモリ、宅配会員からの宅配注文品を受け付け入力する注文受信用パソコンおよび顧客が過去に購入した商品を記載した買い物リストに、季節の提案商品、お買得の提案商品を含む当該当客に推奨すべき商品を加えて作成する宅配会員向パーソナルメニューを生成する宅配端末から構成されるパーソナルメニューを用いた宅配システムであって、上記注文受信用パソコンを介して宅配会員の宅配注文品が入力されると上記宅配端末は上記宅配会員データベースに格納されている当該宅配会員の過去の宅配注文商品データおよびその家族構成を含む個人情報および上記メモリに格納されている店舗推奨商品に基づいて宅配される注文品と共に届ける当該宅配会員に固有なパーソナルメニューを生成し上記宅配端末に接続されている端末に出力するパーソナルメニューを用いた宅配システム。
　【請求項２】　上記通信回線にはさらに上記商品マスタに基づいて生成され適宜更新される新規宅配会員への送付のための主要商品リストを格納したメモリが接続されている請求項１に記載のパーソナルメニューを用いた宅配システム。」
　
（２−２）本件補正は前記のとおりのものであって、その補正の前後の内容を対比してみると、
（Ａ）本件請求項１に係る補正は、本件補正前の請求項１に係る発明の「上記商品マスタに基づいて生成されて適宜更新される宅配会員向店舗推奨商品情報を格納するメモリ」を削除するものであり、当該補正は、本件補正前の請求項１に係る発明を特定するために必要な事項を限定するものではない。
（Ｂ）本件請求項１に係る補正は、本件補正前の請求項１に係る発明の「顧客が過去に購入した商品を記載した買い物リストに、季節の提案商品、お買得の提案商品を含む当該当客に推奨すべき商品を加えて作成する宅配会員向パーソナルメニューを生成する宅配端末」であって、「上記宅配端末は上記宅配会員データベースに格納されている当該宅配会員の過去の宅配注文商品データおよびその家族構成を含む個人情報および上記メモリに格納されている店舗推奨商品に基づいて宅配される注文品と共に届ける当該宅配会員に固有なパーソナルメニューを生成し上記宅配端末に接続されている端末に出力する」を「各顧客宅配会員向パーソナルメニューを生成する宅配端末」であって、「上記宅配端末は上記会員台帳に格納されている当該顧客宅配会員の過去の宅配データに基づいて生成した買い物リストに、上記商品マスタに登録されている『春夏秋冬』季節の提案商品、『高品質・お買得』の提案商品および『大変便利』の提案商品および上記会員台帳に登録されている項目に基づいて特に当該顧客宅配会員に推奨すべき提案商品を選択し、加えて上記宅配注文品と共に届けられる当該顧客宅配会員に固有なパーソナルメニューを生成、出力する」と補正するものであるが、当該補正は、本件補正前の請求項１に係る発明を特定するために必要な事項である「宅配端末は上記宅配会員データベースに格納されている当該宅配会員の過去の宅配注文商品データおよびその家族構成を含む個人情報および上記メモリに格納されている店舗推奨商品に基づいて宅配される注文品と共に届ける当該宅配会員に固有なパーソナルメニューを生成し」の「および上記メモリに格納されている店舗推奨商品に基づいて」を削除するものであり、本件補正前の請求項１に係る発明を特定するために必要な事項である「宅配端末」を限定するものとはなっていない。
（Ｃ）本件請求項１に係る補正は、本件補正前の請求項１に係る発明の「宅配端末は・・・パーソナルメニューを生成し上記宅配端末に接続されている端末に出力する」を「宅配端末は・・・パーソナルメニューを生成、出力する」と補正するものであるが、当該補正は、本件補正前の請求項１に係る発明を特定するために必要な事項である「宅配端末」の出力に関し、「上記宅配端末に接続されている端末に」を削除するものであり、本件補正前の請求項１に係る発明を特定するために必要な事項である「宅配端末」を限定するものとはなっていない。
（Ｄ）本件請求項２に係る補正は、本件補正前の請求項２に係る発明の「上記通信回線にはさらに上記商品マスタに基づいて生成され適宜更新される新規宅配会員への送付のための主要商品リストを格納したメモリが接続されている請求項１に記載のパーソナルメニューを用いた宅配システム。」を「上記通信回線にはさらに上記商品マスタから選択された新規宅配会員への送付のための主要商品リストを格納したメモリが接続されていることを特徴とする請求項１に記載のパーソナルメニューを用いた宅配システム。」と補正するものであるが、当該補正は、本件補正前の請求項２に係る発明を特定するために必要な事項である「メモリ」における「商品マスタに基づいて生成され適宜更新される新規宅配会員への送付のための主要商品リストを格納した」を「商品マスタから選択された新規宅配会員への送付のための主要商品リストを格納した」と変更するものであって、本件補正前の請求項２に係る発明を特定するために必要な事項である「メモリ」を限定するものとはなっていない。
　
　そうすると、上記（Ａ）ないし（Ｄ）に記載した各補正は特許法第１７条の２第４項第２号で規定する特許請求の範囲の減縮を目的とするものとはいえない。
　また、特許法第１７条の２第４項第４号は、「明りようでない記載の釈明（拒絶理由通知に係る拒絶の理由に示す事項についてするものに限る。）」と規定しているから、「明りようでない記載の釈明」を目的とする補正は、拒絶理由中で特許請求の範囲が明りようでない旨を指摘した事項について、その記載を明りようにする補正を行う場合に限られているところ、本件請求項１、２に係る上記（Ａ）ないし（Ｄ）に記載した補正は、拒絶理由中で特許請求の範囲が明りようでない旨を指摘した事項について、その記載を明りようにする補正を行うものとはいえず、特許法第１７条の２第４項第４号で規定する、明りようでない記載の釈明を目的とするものでもない。
　さらに、上記（Ａ）ないし（Ｄ）に記載した補正は、本来その意であることが、明細書、特許請求の範囲又は図面の記載などから明らかな字句、語句の誤りを、その意味内容の字句、語句に正す「誤記の訂正」を目的とするものでもなく、また、請求項の削除を目的とするものでもないことは明らかである。
　
　したがって、本件補正は、特許法第１７条の２第４項の規定に違反するものであり、同法第５３条第１項の規定により却下すべきものである。
　
（２−３）審判請求人の主張の検討
　審判請求人は平成１７年１２月２７日付の審判請求書の手続補正書において、「裏付けが無いと認定された補正請求項１における『上記商品マスタに基づいて生成されて適宜更新される宅配会員店舗推奨商品情報を格納するメモリ』は認定に従って削除した。裏付けなしと認定された事項について、認定に従って削除すると、この削除は限定的減縮に当たらないとして補正却下されると、出願人にとっては全く救済の途が断たれることになり法の精神に反することになると思料する。裏付けが無かった事項を有ると誤認して導入した後、それを削除するのは誤記の訂正に相当するものであると思料する。いずれにしても審査官のこの点についての平成１７年１０月２７日付の補正の却下の決定理由については承服出来ない。」と主張しているが、平成１７年１０月２７日付の補正の却下の決定で却下した平成１７年８月３１日付手続補正書でした補正は、当該補正前の平成１７年６月２４日付手続補正書の特許請求の範囲の請求項１に記載された発明を特定するために必要な事項である「上記商品マスタに基づいて生成されて適宜更新される宅配会員店舗推奨商品情報を格納するメモリ」を削除する補正を含むものであり、当該補正が、特許法第１７条の２第４項第２号で規定する特許請求の範囲の減縮を目的とするものとはいえず、同法第１７条の２第４項第４号で規定する明瞭でない記載の釈明を目的とするものでもなく、さらに、同法第１７条の２第４項第３号で規定する誤記の訂正や同法第１７条の２第４項第１号で規定する請求項の削除を目的とするものではないことは上記（２−２）で述べたとおりであり、上記補正を含む平成１７年８月３１日付手続補正書でした補正は、特許法第１７条の２第４項の規定に違反するものであり、同法第５３条第１項の規定により却下すべきものであるので、審判請求人の上記主張は採用できない。
　
３．本願発明について
　平成１７年１２月２７日付の手続補正は上記のとおり却下されたので、本願は、平成１７年６月２４日付手続補正書により補正された明細書および図面に記載された「宅配システム」に関するものと認められる。
　
（３−１）原審の平成１７年８月２日付の拒絶の理由
　平成１７年８月２日付の拒絶理由の趣旨は、次のとおりである。
＜理由＞ 
　平成１７年６月２４日付けでした手続補正は、下記の点で願書に最初に添付した明細書又は図面に記載した事項の範囲内においてしたものでないから、特許法第１７条の２第３項に規定する要件を満たしていない。
　　　　　　　　　　　　　　　　記
（１）上記手続補正書により補正された請求項１における「全宅配会員の住所、氏名、電話番号、その他家族構成を含む個人情報およびそれぞれの宅配会員の過去の宅配注文商品データを格納した宅配会員データベース」、「上記商品マスタに基づいて生成されて適宜更新される宅配会員向店舗推奨商品情報を格納するメモリ」、「宅配端末は上記宅配会員データベースに格納されている当該宅配会員の過去の宅配注文商品データおよびその家族構成を含む個人情報および上記メモリに格納されている店舗推奨商品に基づいて宅配される注文品と共に届ける当該宅配会員に固有なパーソナルメニューを生成し」との記載について、当該構成は、願書に最初に添付した明細書又は図面に記載されていないし、当業者にとって自明な事項でもない。（願書に最初に添付した明細書又は図面には、季節の提案商品、お買得の提案商品等の顧客に推奨すべき商品について、お店が予め商品マスタに登録する点は記載されている（【０００４】、【０００８】段落）が、「推奨商品情報」が「商品マスタに基づいて生成されて適宜更新される」点及び「推奨商品情報を格納するメモリ」は記載されていない。）
（２）上記手続補正書により補正された請求項２における「上記通信回線にはさらに上記商品マスタに基づいて生成され適宜更新される新規宅配会員への送付のための主要商品リストを格納したメモリが接続されている」との記載について、当該構成は、願書に最初に添付した明細書又は図面に記載されていないし、当業者にとって自明な事項でもない。（願書に最初に添付した明細書又は図面には、「主要商品リスト」が「商品マスタに基づいて生成され適宜更新される」点及び「上記通信回線に」「主要商品リストを格納したメモリが接続されている」点は記載されていない。）
　
（３−２）当初明細書等の記載 
　願書に最初に添付した明細書、特許請求の範囲又は図面（以下「当初明細書等」という。）には、以下の記載がある。 
（ア）「【請求項１】　初めての顧客に対して、品番、商品名及び価格を含む商品情報を記載した主要商品リストを作成し、これをパソコンのメモリに記憶し、必要により出力するステップ、
　主要商品リストをFAX、eメールまたは郵便で初めての顧客に送るステップ、
　初めての顧客から注文を受けた商品の受注明細を作成するステップ、
　受注明細に記載されている注文品を集めるステップ、
　集められた注文品をレジに登録するステップ、
　レジに併設されている又は組み込まれている宅配端末から受注明細に品切れ等の修正を加えた納品明細を作成するステップ、
　納品明細に基づき当該顧客の最初のパーソナルメニューを作成するステップ、
　季節の提案商品、お買得の提案商品を含む当該顧客専用のパーソナルメニューを作成し、これをパソコンのメモリに記憶し、必要により出力するステップ、
　納品の際に、注文品と共に納品明細及びパーソナルメニューを顧客に届けるステップ、
からなることを特徴とする、パーソナルメニューを用いた宅配システム。
　　【請求項２】　初めての顧客に対して、納品明細をパーソナルメニューとして代用することを特徴とする、請求項１記載の宅配システム。
　　【請求項３】　顧客が過去に購入した商品を記載した買い物リストに、季節の提案商品、お買得の提案商品を含む当該顧客に推奨すべき商品を加えて当該顧客専用のパーソナルメニューを作成し、これをパソコンのメモリに記憶し、必要により出力するステップ、
　顧客から注文を受けた商品の受注明細を作成するステップ、
　受注明細に記載されている注文品を集めるステップ、
　集められた注文品をレジに登録するステップ、
　レジに併設されている又は組み込まれている宅配端末から受注明細に品切れ等の修正を加えた納品明細を作成するステップ、
　納品の際に、注文品と共に納品明細及びパーソナルメニューを顧客に届けるステップ、
からなることを特徴とする、パーソナルメニューを用いた宅配システム。
　　【請求項４】　顧客が当該顧客のパーソナルメニューに基づき商品の注文を行うことを特徴とする、請求項３記載の宅配システム。
　　【請求項５】　パーソナルメニューを売場の陳列順に整列させることを特徴とする、請求項１または３記載の宅配システム。
　　【請求項６】　パーソナルメニューを春・夏・秋・冬の四半期毎に整理、更新することを特徴とする、請求項１または３記載の宅配システム。」
　
（イ）「【０００４】
　　【課題を解決するための手段】
　初めての顧客に対しては一般的な商品の商品情報を記載した主要商品リストに、納品実績のある顧客に対しては当該顧客が過去に購入した商品を記載した買い物リストに、季節の提案商品、お買得の提案商品等の当該顧客に推奨すべき商品を加えたパーソナルメニューを作成し、これをパソコンのメモリに記憶し、必要により出力するステップ、納品の際に、注文品と共に納品明細及びパーソナルメニューを顧客に届けるステップ、等により宅配システムを構成する。
　　　【０００６】
　最初のご注文は、このようにして始まります。（最初のパーソナルメニューがこうして創られます）。
　初めてのお客様から宅配制度を利用したいというご連絡が宅配の受注担当者に入ります。
　約１０００品目が掲載されている主要商品リストをFAXまたはeメールまたは郵便で、初めてのお客様宛に送ります。主要商品リストには商品区分・品番・商品名・容量・定価・本日の売価及び商品についての簡単な説明が記載されています。
　主要商品リストから商品を選んで、品番・（商品名・）数量で発注していただきます。お客様専用のお買い物リスト（パーソナルメニュー）作成のために、今回は注文しないが今まで頻繁に購入していた商品だから、何時かは注文する、というような商品については発注数をゼロとして、ご注文を承ります。
　主要商品リストに記載されている商品のご注文が終わったら、記載の無い商品のご注文を承ります。受注受付画面の「商品検索」をクリックすると、選択画面が開いてライン・クラス名一覧が表示されます。ご注文のクラスをクリックすると単品が表示され、ご注文の商品を特定できます。ご注文の商品に比べて、もっと良い商品、更にお得な商品が有れば、この時お勧めします。
　　　【０００７】
　ご注文いただいた商品の受注明細（ピッキングリスト）が作成されます。
　受注明細（ピッキングリスト）がピッキング担当者にわたされます。ピッキング担当者がご注文品を集め、ピッキング終了後、ご注文品をキャッシャーに引き渡します。
　キャッシャーがご注文品をレジに登録します。レジに併設されている（又は組み込まれている）宅配端末から受注明細に品切れ等の修正を加えた納品明細が作成されます。万一品切れの場合は、納品明細の数量欄には「品切れ」と表示されます。今回は注文しないが何時かは注文する、ということで発注数をゼロとしてご注文を承った商品の数量欄には「０」と表示されます。
　　　【０００８】
　この納品明細の内容（宅配データ）に基づき当該顧客の最初のパーソナルメニューを作成します。この最初のパーソナルメニューに、特に当該顧客に推奨する下記の商品リスト（パーソナルマーケッティングメニューといいます）を加えます。
１．「春夏秋冬」季節の提案商品
　お店（オーケー）が予め選抜し季節商品として商品マスタに登録した商品（但し、前項のパーソナルメニュー記載商品を除く）
２．「高品質・お買得」の提案商品
　お店（オーケー）が特に「高品質・お買得」として商品マスタに登録した商品（但し、前項のパーソナルメニュー記載商品を除く）
３．「大変便利」の提案商品
　お店（オーケー）が特に「大変便利」として商品マスタに登録した商品（但し、前項のパーソナルメニュー記載商品を除く）
４．特に当該顧客への提案商品
　入会申込書（会員台帳）に記載されている項目に基づいて、「乳児在り」ならベビーフード・ベビー用品を、「高齢者在り」なら高齢者向き商品を、「ペット在り」ならペットの種類に対応したペットフード・ペット用品を提案します（但し、前項のパーソナルメニュー記載商品を除く）
　　　【０００９】
　会員台帳を表１に示す。
　　　【００１０】
　このようにして、当該顧客専用のパーソナルメニューが作成され、納品の際、ご注文品と一緒に持参して初めてのお客様にお渡しします。このパーソナルメニューは当該顧客専用のお買い物リストです。ほぼこの時点で充実したパーソナルメニューになります。
　次回のご注文は、このパーソナルメニューを見て、品番と（商品名と）数量で注文します。パーソナルメニューに記載のない商品のご注文は前述の通りの方法で承ります。このようにして当該顧客専用のパーソナルメニューは、回を重ねるごとに益々充実して参ります。
　なお、「関さばが入荷しました」「今朝採れた三陸の生ウニが入荷しました」等の緊急情報はiモードで一斉にお知らせします。または電話でお知らせします。
　　　【００１１】
　パーソナルメニュー（パーソナルマーケッティングメニューを含む）は、春・夏・秋・冬の四半期毎に整理の上、更新されます。
　３月・６月・９月・１２月の第１週の月曜日付けで更新します。更新日は自由に設定できます。更新は、前回発行のパーソナルメニューに記載されていた商品に期中の追加分を加え、売場の陳列順に整列させて行います。また、以下の通り売価の洗い替え、削除等の変更も併せて行い、次回のご注文品配達時にお届けします。
１．売価は新パーソナルメニューの発行日当日の売価になります。
２．取扱中止となったものは削除され、欄外にその旨が記載されます。必要度合いを判断して必要とあれば代替品をお知らせします。
３．季節商品で取扱中止となった商品は削除され、欄外にその旨が記載されます。
４．季節商品で取扱中止予定の商品はパーソナルメニューには記載されますが摘要欄に取扱中止予定時期が表示されます。
５．特別提供品で在庫がゼロになったものは削除され、欄外にその旨が記載されます。
　なお、期中におけるパーソナルメニューの変更は、当該顧客から受注受付の時、その場でお客様にお伝えすると共に納品明細の末尾に記載してお客様にお知らせします。」
　
（ウ）「【００１４】
　宅配業務の流れを図１の宅配業務流れ図を参照して説明する。
　受注担当者がお客様のご注文を承ります。
　受注担当者が注文受信用パソコンに担当者コードを入力します。
　基本画面が表示されます。
　基本画面の画面構成：
　　□会員登録
　　□会員台帳
　　□受注受付
　　□受注明細
　　□配達予約受注明細（予約配達日：本日分）
　　□配達予約受注明細（予約配達日：翌日以降分）
　　　【００１５】
　「受注受付」をクリックします。
　受注受付画面が表示されます。
　受注受付画面の画面構成：
　　□会員コード　□□□□−□□□□−□□□□□
　　□電話番号□□□□−□□□□−□□□□
　　□会員名
　　　【００１６】
　オーケー宅配会員から電話で注文が入ります。電話番号を自動的に認識し、直ちに当該顧客分の受注画面がパソコン上に表示されます。会員コードまたは電話番号を入力して当該顧客分の受注画面をパソコン上に表示することも出来ます。
　当該顧客分の受注画面には、お届け先・お留守の時のお届け先が表示されます。
　「受注者」欄に当該担当者の氏名が表示されます。
　「受注日」「受付時間」欄には本日の日付と受付時間（分単位：例１５時２６分）が表示されます。
　「配達日」「予定時間」欄には本日の日付と予定時間（受付時間の３時間後：例１８時２６分）が表示されます。
　　　【００１７】
※受注受付画面についての説明：
　「区分」とは現時点における商品区分を表示するもので、定番の場合は「定番」、定番の中で「更にお買得」（注記参照）を実施している場合は「更得」、特別提供品の場合は「特提」、と表示されます。
　注記、「更にお買得」：メーカーの在庫状況等の関係で、定番商品が一定期間、通常の仕入値より安く調達できることがあります。こんな時、私たちは安く調達できた分売価を引き下げて、「更にお買得」のPOPをつけて販売します。
　受注受付画面を右にスクロールすると過去６回のお買上日別の販売数量が表示されます。「更得」売価（注記参照）で販売された数量の頭には☆印をつけて表示しています。
　注記、「更にお買得」を実施している期間中の売価を「更得」売価といいます。
　「前回売価」とは既発行済みの納品明細の中で最新のものに記載された売価をいいます。「前回売価」が「更得」売価の場合は、売価の頭に☆印をつけて表示しています。
　　　【００１８】
　お客様のお名前を確認します。
　ご注文は最新のパーソナルメニューに記載されている商品の品番（と商品名）と数量でお願いします、その後追加された商品がございましたら、そのときの納品明細に記載されている品番（と商品名）と数量でお願いします、パーソナルメニューに記載の無い商品はその後でご注文を承ります、とお客様に申し上げます。
　ご注文を承り、受注画面の当該商品の数量欄にご注文の数量を入力します。商品名・容量・定価の変更、メーカーが製造を中止した、当店が取扱をやめた等の商品内容の変更は、画面に表示されています。変更の内容は、ここでも順を追って、その都度お客様にお知らせします。
　パーソナルメニューに記載されている商品及びその後追加された商品のご注文が完了したら、「新たな商品をご注文なさいますか」とお尋ねします。
　　　【００１９】
　「注文します」と言われたら、「商品検索」をクリックします。選択画面が開いて、商品検索画面のライン・クラス一覧表が表示されます。
　お客様のご注文に従ってご注文のクラス名をクリックします。
　クラス内の単品リストが選択画面に表示されます。
　お客様のご要望に基づいて単品をクリックします。より良い商品、よりお徳な商品があればお勧めします。
　選択した商品が受注画面に表示されます。今回新たにご注文の商品については、「前回売価」欄に新規と記入して解りやすくします。
　
（エ）「【００２５】
　受注画面は消えて受注受付画面に戻ります。
※お問い合わせだけでご注文がない等の場合は受注画面の「登録しない」をクリックします。受注画面は消えて受注受付画面に戻ります。（会員台帳の時も同様です）。
※会員台帳が見たいときは受注画面の「会員台帳」をクリックします。当該顧客の会員台帳が表示されます。
　受注明細と送り状を指定の紙ばさみに挟みます。
　指定の紙ばさみをピッキング担当者に引き渡します。受注明細の「受注者」欄には受注担当者名が表示されます。
　　　【００２６】
　ピッキング担当者の仕事（１）：
　指定の紙ばさみを受注担当者から受け取ります。
　ご注文品を集めます。
　商品を集めた都度、受注明細の当該商品の数量欄にｖマークを記入して確認します。
　ご注文品の全てにvマークが記入されたことを確認したらピッキング作業は完了です。
　イージーバッグ・ドライアイスは受注明細に記載されている数量（または決め事により自分で判断した数量でも良い）を調達します。
　ご注文品をレジに持ち込みます。
　　　【００２７】
　キャッシャーの仕事：
　レジでピッキング担当者カードを読み取ります。
　受注明細のバーコード（会員コード）をレジでスキャンして、宅配（機能としては掛け売り扱い）として精算します。
　イージーバッグ・ドライアイスは受注明細に記載されている数量と現品を照合して（決め事により現品を確認してでも良い）登録します。
　宅配費については受注明細に記載されている金額を登録します。（配達費が間違っていたら訂正します）。
　宅配用レシートがレジから出力されます。レシートはキャッシャーが一時保管します。
　納品明細が出力されます。レジに登録した商品の明細で受注明細と同じ書式です。但し、品切れ等のための修正が行われていますから、受注明細と差異がある時があります。尚、「前回売価」が「更得」売価（一定期間安く売っている商品の売価のことで詳細は後述）の場合は、売価の頭に☆印をつけて表示し、解りやすくします。
　納品明細のないようを自動的に「宅配データ」として会員台帳に書き込みます。
　レジに登録した精算済み商品と納品明細をピッキング担当者に引き渡します。」
　
（３−３）請求項１についての補正の適否 
　平成１７年６月２４日付の手続補正書による補正後の請求項１には、「全宅配会員の住所、氏名、電話番号、その他家族構成を含む個人情報およびそれぞれの宅配会員の過去の宅配注文商品データを格納した宅配会員データベース」（請求項１の第２、３行）、「上記商品マスタに基づいて生成されて適宜更新される宅配会員向店舗推奨商品情報を格納するメモリ」（請求項１の第４、５行）、「宅配端末は上記宅配会員データベースに格納されている当該宅配会員の過去の宅配注文商品データおよびその家族構成を含む個人情報および上記メモリに格納されている店舗推奨商品に基づいて宅配される注文品と共に届ける当該宅配会員に固有なパーソナルメニューを生成し」（請求項１の第９ないし１２行）と記載されている。 
　しかし、当初明細書等には「会員台帳」の記載はあるが、「全宅配会員の住所、氏名、電話番号、その他家族構成を含む個人情報およびそれぞれの宅配会員の過去の宅配注文商品データを格納した宅配会員データベース」の記載はなく、また、自明な事項であるとはいえない。
　また、季節の提案商品、お買得の提案商品等の顧客に推奨すべき商品について、お店が予め商品マスタに登録する点は、当初明細書の段落【０００８】に記載されているものの、「宅配会員向店舗推奨商品情報」が「商品マスタに基づいて生成されて適宜更新される」点及び「宅配会員向店舗推奨商品情報を格納するメモリ」は当初明細書等には記載されておらず、また、当初明細書等の全体をみても、自明な事項であるとはいえない。
　さらに、宅配端末が、商品マスタに基づいて生成されて適宜更新される宅配会員向店舗推奨商品情報を格納するメモリに格納されている店舗推奨商品に基づいて宅配される注文品と共に届ける当該宅配会員に固有なパーソナルメニューを生成する点は当初明細書等に記載されておらず、自明な事項であるともいえない。そうすると、「宅配端末は上記宅配会員データベースに格納されている当該宅配会員の過去の宅配注文商品データおよびその家族構成を含む個人情報および上記メモリに格納されている店舗推奨商品に基づいて宅配される注文品と共に届ける当該宅配会員に固有なパーソナルメニューを生成し」は、当初明細書等に記載されておらず、自明な事項であるとはいえない。
　
（３−４）請求項２についての補正の適否 
　平成１７年６月２４日付の手続補正書による補正後の請求項２には、「上記通信回線にはさらに上記商品マスタに基づいて生成され適宜更新される新規宅配会員への送付のための主要商品リストを格納したメモリが接続されている」（請求項２の第１、２行）と記載されている。しかし、当初明細書等には、「主要商品リスト」が「商品マスタに基づいて生成され適宜更新される」点及び「上記通信回線に」「主要商品リストを格納したメモリが接続されている」点は記載されておらず、また、自明な事項であるともいえない。
　
（３−５）判断
　したがって、請求項１、２についての上記補正は、当初明細書等に記載された事項の範囲内においてなされたものとはいえない。　
　
　以上のとおり、平成１７年６月２４日付の手続補正書による補正は、依然として、出願当初の明細書又は図面に記載した事項の範囲内でなされたものではない。
　
　なお、審判請求人は、平成１７年１２月２７日付の審判請求書の手続補正書において、「３．同日付で提出した補正請求項１，２が特許法１７条の２第３，４項に規定する要件を満たしている理由として、（１）ないし（４）を示し、（５）で、以上説明したように今回の再補正によって、特許法第１７条の２第３，４項に規定する要件を満たしていないとの認定は解消したものと思料する。」と主張しているが、平成１７年１２月２７日付の手続補正は、上記２．平成１７年１２月２７日付の手続補正についての補正却下の決定で述べたとおり、特許法第１７条の２第４項に規定する要件を満たしておらず却下されたので、上記請求人の主張は採用できない。
　
４．むすび
　したがって、本願は、特許法１７条の２第３項に規定する要件を満たしていない。
　よって、結論のとおり審決する。